(57)【要約】【課題】  従来の水洗用回転ブラシは回転駆動力源として、ケーシング内で回転部を構成する円板の半径片側において、羽根板に高速の噴水流を噴射して回転力を得る構成の型式が一般的である。そのため、高圧水発生装置も同時に別途必要となる。【解決手段】  流水受圧面積の大きいベーン体を構成要素として備えた揺動ベーンモーターを利用する事で、家庭用の水道水圧程度の利用でも必要とされる十分な回転力を得ながら、さらに、円板の外周付近に、植設された刷毛と該円板を貫通した放水孔を備えた刷毛具を利用し、揺動ベーンモーターの排水を洗浄用の水として該刷毛具を回転させながら使用する水洗用回転ブラシを構成する。【選択図】図１４
2007175705.tif 000002
【特許請求の範囲】
【請求項１】
両端に支軸を備えた主軸の周囲に、該主軸の軸心から同一半径で且つ、該軸心を中心とする円周を等分した複数箇所に、開口部を設けた円筒形の軸受けの中心を定め、該軸受けを主軸の軸心方向と平行に複数配置し、主軸の外面から半径方向に伸びる板状の軸受け支持具で固定し形成した回転体本体と、薄肉円筒体を利用し、該薄肉円筒体を中心方向から等分割して得られる曲面板をベーン体として利用し、該曲面板の片側曲面端に、前記開口部を設けた軸受けで保持される軸を備えた複数の軸付き曲面板とから構成され、軸付きベーン体としての軸付き曲面板は、該軸を開口部を設けた円筒形の軸受けに保持されながら、回転体本体の外周の外側で自在に揺動し、全ての軸付きベーン体が回転体本体の外周に閉じる事で、配置した複数の軸付きベーン体により、外形形状が円筒体外形面と同様の円曲面を形成し、この状態で内部においては、１枚の曲面板、及び隣り合う２箇所の軸受けと軸受け支持具、そして回転体本体の主軸の外面とで囲まれる空間を複数形成する事を特徴とする揺動ベーン付き回転体。
【請求項２】
請求項１の揺動ベーン付き回転体をローターとして利用し、該ローターを円筒形のケーシングの内部に、さらに、ローターとしての揺動ベーン付き回転体の主軸の軸心を該ケーシングの中心に対して偏心配置し、ケーシングの両側を密閉する２枚の蓋と共に基本構成をして、さらに、付属要素として、前記偏心配置によるケーシング内面と、円曲面を形成した揺動ベーン付き回転体の外形面との対面間隔の狭い側に、ケーシング内面側から流水漏洩防止器具を備えている事、対面間隔の広い側のケーシング内面円周方向に、流水からの作用を受けながら、ベーン体によるトルクの発生区間としての密閉作動区間の範囲を設定してある事、前記流水漏洩防止器具の配置位置、及び該密閉作動区間の範囲を除いて、ケーシング内面円周方向の２箇所に流水通路溝を加工してある事、さらに、ケーシングの両側を２枚の蓋で密閉する事で、軸付きベーン体が閉じて形成する揺動ベーン付き回転体内部の空間を密閉空間とし、一方の蓋側にローターの支軸の軸受け、及び注水口を備え、他方の蓋側にローターの出力軸となる支軸の軸受け、及び排水口を備えている事、等の各要素を基本構成に含めて全体構成をした事を特徴とする揺動ベーンモーター。
【請求項３】
請求項２の揺動ベーンモーターを利用し、該揺動ベーンモーターの排水口と出力軸を支持する軸受けを備えた蓋と共に、該蓋から外部へ突出している出力軸をさらに支持しながら内部に空室を形成するサイドケースを備えた揺動ベーンモーターを構成し、円板を貫通した小孔と植設された刷毛を該円板内の外周付近にそれぞれ多数設けた刷毛具と、該刷毛具と共に内部に空室を形成する刷毛具ホルダーとから構成された円形ブラシを、前記サイドケースを貫通し外部に突出している出力軸端に取り付け固定し、さらに、揺動ベーンモーター側の空室と、円形ブラシ側の空室とを出力軸内に加工した通水孔によって連結し全体構成した事を特徴とする水洗用回転ブラシ。
【発明の詳細な説明】
【技術分野】
【０００１】  本発明は水洗用の回転ブラシに関する。さらに詳しくは、ローターとして揺動ベーン付き回転体を利用した揺動ベーンモーターを構成し、水道水圧を利用してトルクを得ながら供給した水道水と共に洗浄を行う水洗用回転ブラシに関する。
【背景技術】
【０００２】  従来の水洗用回転ブラシは、回転駆動力源として、ケーシング内で回転部を構成する円板に配置した羽根板に、高圧水を噴射させてトルクを発生させ、該回転部の出力軸と直結したブラシを回転させ、噴射に使用した水と共に水洗いをする器具が一般的である。そのため、高圧水を発生し、回転ブラシに送るための高圧水発生装置が別途必要であった。【０００３】
【特許文献１】    公開特許公報（Ａ）  昭５６−１５９５０６
【特許文献２】    公開特許公報（Ａ）  昭６０−６０２０１
【特許文献３】    公開特許公報（Ａ）  平１−１７８７０１
【発明の開示】
【発明が解決しようとする課題】
【０００４】  前記従来の器具においては、高圧水の使用、即ち高速の噴水流を利用して、回転ブラシを回転させる方法の器具であり、該回転ブラシの回転部を構成する円板の半径片側において、羽根板に高速の噴水流を噴射する事でトルクを得る型式となっている。一般家庭に供給されている水道水を直接使用し、トルクを得ながら洗浄するという水洗用回転ブラシは積極的には普及してはいない。【０００５】  本発明は、かかる事情に鑑み、コンパクトな回転体に流水受圧面積の大きい受圧面体として、揺動するベーン体を含む回転体を構成し、さらに該揺動ベーン付き回転体をローターとして利用した揺動ベーンモーターを構成し、該揺動ベーンモーターを利用し、一般家庭に供給されている水道水を使用した洗浄器具としての水洗用回転ブラシを提供する事を目的とする。
【課題を解決するための手段】
【０００６】  モーターのローターとして、両端に支軸を備えた主軸の周囲に、該主軸の軸心から同一半径で且つ、該軸心を中心とする円周を等分した複数箇所に、開口部を設けた円筒形の軸受けの中心を定め、該軸受けを主軸の軸心方向と平行に複数配置し、主軸の外面から半径方向に伸びる板状の軸受け支持具で固定し形成した回転体本体と、薄肉円筒体を利用し、該薄肉円筒体を中心方向から等分割して得られる曲面板をベーン体として利用し、該曲面板の片側曲面端に、前記開口部を設けた軸受けで保持される軸を備えた複数の軸付き曲面板とから構成され、軸付きベーン体としての軸付き曲面板は、該軸を開口部を設けた円筒形の軸受けに保持されながら、回転体本体の外周の外側で自在に揺動し、全ての軸付きベーン体が回転体本体の外周に閉じる事で、配置した複数の軸付きベーン体により、外形形状が円筒体外形面と同様の円曲面を形成し、この状態で内部においては、１枚の曲面板、及び隣り合う２箇所の軸受けと軸受け支持具、そして回転体本体の主軸の外面とで囲まれる空間を複数形成する事を特徴とする揺動ベーン付き回転体を構成する。【０００７】  揺動ベーン付き回転体をローターとして利用し、該ローターを円筒形のケーシングの内部に、さらに、ローターとしての揺動ベーン付き回転体の主軸の軸心を該ケーシングの中心に対して偏心配置し、ケーシングの両側を密閉する２枚の蓋と共に基本構成をして、さらに、付属要素として、前記偏心配置によるケーシング内面と、円曲面を形成した揺動ベーン付き回転体の外形面との対面間隔の狭い側に、ケーシング内面側から流水漏洩防止器具を備えている事、対面間隔の広い側のケーシング内面円周方向に、流水からの作用を受けながら、ベーン体によるトルクの発生区間としての密閉作動区間の範囲を設定してある事、前記流水漏洩防止器具の配置位置、及び該密閉作動区間の範囲を除いて、ケーシング内面円周方向の２箇所に流水通路溝を加工してある事、さらに、ケーシングの両側を２枚の蓋で密閉する事で、軸付きベーン体が閉じて形成する揺動ベーン付き回転体内部の空間を密閉空間とし、一方の蓋側にローターの支軸の軸受け、及び注水口を備え、他方の蓋側にローターの出力軸となる支軸の軸受け、及び排水口を備えている事、等の各要素を基本構成に含めて全体構成をした事を特徴とした揺動ベーンモーターを構成する。【０００８】  前記揺動ベーンモーターを利用して、該揺動ベーンモーターの排水口と出力軸を支持する軸受けを備えた蓋と共に、該蓋から外部へ突出している出力軸をさらに支持しながら内部に空室を形成するサイドケースを備えた揺動ベーンモーターを構成し、円板を貫通した小孔と植設された刷毛を該円板内の外周付近にそれぞれ多数設けた刷毛具と、該刷毛具と共に内部に空室を形成する刷毛具ホルダーとから構成された円形ブラシを、前記サイドケースを貫通し外部に突出している出力軸端に取り付け固定し、さらに、揺動ベーンモーター側の空室と円形ブラシ側の空室とを出力軸内に加工した通水孔によって連結し全体構成した事を特徴とする水洗用回転ブラシを構成する。【０００９】  本明細書中において使用する用語の定義、及び意味、内容について説明をする。
円筒形の軸受けの開口部は、主軸の軸心から半径方向外側に開口している。軸付きベーン体の該軸を、軸受けで保持する場合、該開口部から軸の離脱を防止するために、開口幅寸法を軸の直径より小さくしておく。
回転体本体の外周とは、主軸の軸心を中心に、該主軸の軸心から半径方向へ最も離れた軸受けの開口端までの寸法を半径とする円の円周として示される。
流水漏洩防止器具とは、対面間隔の狭い位置において、注水口からの流水が直接に排水口側へ漏洩する事を防止するための器具で、ケーシングの中心方向と平行に、該ケーシングの内面に開口部を設けた孔形の軸受けを加工し、さらに、平板の一端に軸を備えた軸付き平板を利用する事で、該軸付き平板の軸は前記開口部を設けた軸受けに離脱する事なく保持されながら、ローターの回転方向に向けられた軸位置と反対側の平板の先端が水圧の作用を受け揺動し、軸付きベーン体に該平板の先端が接触、押圧しながら流水を遮る事で、この位置から排水口側への流水の漏洩を防止する器具である。
揺動ベーンモーターに使用する水道水が含むエネルギーは、該揺動ベーンモーターによって回転運動における運動エネルギーに変換するが、該回転運動における運動エネルギーを回転エネルギーと名称して使用する。
名称としての密閉作動区間の範囲について説明すると、揺動ベーンモーターにおいて、ケーシング内面と軸付きベーン体が全て閉じて円曲面を形成した揺動ベーン付き回転体の外形面との対面間隔の広い側において、注水口から排水口に到るまでの流水が、ケーシングの内面、軸付きベーン体、軸受け及び軸受け支持具、主軸外面、ケーシング両側の蓋、流水漏洩防止器具である軸付き平板等により、密閉された状態でベーン体に作用しながら流水が含むエネルギーを回転エネルギーに変換しトルクを発生する区間の範囲であり、ケーシング内面円周方向に、利用する軸付きベーン体数等を考慮して２箇所の流水通路溝の間に設定された区間の範囲でもある。【００１０】  揺動ベーン付き回転体、揺動ベーンモーター、及び水洗用回転ブラシについて、それぞれ作用を説明する。【００１１】  揺動ベーン付き回転体においては、軸付きベーン体の該軸は開口部を設けた円筒形の軸受けに離脱する事なく保持されながら支点となり、開口部からはみ出ているベーン体としての曲面板は、開口の範囲内にて回転体本体の外周の外側で自在に揺動動作を行う事で、ベーン体の出没動作に対応し、ベーン体の働きとして必要な流水受圧面積を変化させ、軸付きベーン体が回転体本体の外周に閉じる事で、ベーン体の没入動作に対応する。全ての軸付きベーン体が回転体の外周に閉じる事により、外形形状として円筒体外形面と同様の円曲面を形成し、この状態において、揺動ベーン付き回転体内部に複数の空間を形成する。【００１２】  揺動ベーンモーターにおいては、一方の蓋側に配置した注水口からの流水による作用を受けて、密閉作動区間の範囲に進入している軸付きベーン体は、トルクを発生しながら回転移動をするが、対面間隔の狭い側では、ベーン体を閉じて揺動ベーン付き回転体内部に密閉空間を形成して回転移動中の後続のベーン体である曲面板の先端が、流水漏洩防止器具を通過し終えた後、注水口からの流水が該密閉空間に流入し該曲面板に初期揺動動作を生じさせながら前方の密閉作動区間の範囲を移動中のベーン体にも作用し、次の行程では、注水口からの流水は初期揺動した後続のベーン体には直接に、密閉作動区間の範囲を回転移動中の前方のベーン体には、ケーシング内面円周方向の流水漏洩防止器具から密閉作動区間開始位置まで加工してある流水通路溝を通過して作用する。このようにして、流水からの作用を受け、密閉作動区間の範囲にある前方のベーン体によるトルクの発生を維持しながら、該密閉作動区間の範囲へ進入前の後続のベーン体の初期揺動動作をも生じさせる。ベーン体である曲面板の先端が密閉作動区間の範囲を通過し終え、ケーシング内面円周方向に設定した密閉作動区間の範囲の終了位置から流水漏洩防止器具の位置付近まで加工してある流水通路溝に進入すると、該流水通路溝は他方の蓋に配置された排水口と通じているので流水圧力は開放され、ベーン体からのトルクの発生は失われるが、すでに後続のベーン体が密閉作動区間の範囲に進入しているので、連続してベーン体からのトルクの発生は維持される。【００１３】  水洗用回転ブラシにおいては、揺動ベーンモーターの注水口から流入した水道水は、ローターである揺動ベーン付き回転体のベーン体に作用する事���、発生したトルクを該揺動ベーンモーターの出力軸に伝えながら排水口に到り、該排水口から蓋外部の空室に流入し、該空室内で出力軸内に加工した通水孔に流入し、該通水孔を通り、サイドケース外側で出力軸端に取り付け固定した円形ブラシ内の空室に流入し、該空室と連結した多数の小孔から外部へと放水されるが、水道水の注水口への流入から刷毛具の小孔からの放水までの一連の動作は円形ブラシが回転しながら行われる。
【発明の効果】
【００１４】  揺動ベーン付き回転体、揺動ベーンモーター、及び水洗用回転ブラシについて、それぞれ発明の効果を説明する。【００１５】  揺動ベーン付き回転体においては、軸付きベーン体である軸付き曲面板は、開口部を設けた円筒形の軸受けに該軸を離脱する事なく保持されながら、該軸を支点として、回転体本体の外周の外側で自在に揺動動作を行う事で、ベーン体による出没動作に対応し、回転体本体の外周に閉じる事で、ベーン体の没入動作に対応する。ベーン体の流水受圧面積を決定する２辺の長さの内の１辺の長さは、回転体本体の外周長さを等分した値を応用する事ができ、利用するベーン体数を少なくする事で、同一直径のローターを備えた他型式のベーンモーターと比較し、流水受圧面積の大きいベーン体を備えた揺動ベーン付き回転体を得る事ができる。【００１６】  揺動ベーンモーターにおいては、軸付きベーン体である軸付き曲面板が回転体本体の外周に閉じる事で、揺動ベーン付き回転体内部に形成する密閉空間を利用し、該密閉空間に一方の蓋側に配置した注水口から水道水を注入する事で、ベーン体が密閉作動区間の範囲に進入する前にベーン体の初期揺動動作を生じさせ、ローターの連続した回転の安定化を図る事ができる。密閉作動区間の範囲において、流水は、流水受圧面積が大きい状態のベーン体に、密閉された状態で作用しながら移動するので流水が含むエネルギーを効率良く回転エネルギーに変換できる。利用する揺動ベーン付き回転体のベーン体数を少なくする事と合わせて、ローター外形面とケーシング内面との対面間隔も大きく設計する事で、従来型式のベーンモーターより流体受圧面積の大きなベーン体を備えた揺動ベーンモーターを構成する事が可能となり、低圧流体の利用において従来型式のベーンモーターよりも大きなトルクが得られる。【００１７】  水洗用回転ブラシは、流水受圧面積の大きなベーン体を備えた揺動ベーンモーターを利用しているので、一般家庭に供給されている水道水の直接の使用でも、必要なトルクが確保できるので、別途に高圧水発生装置の必要はなく、さらには、揺動ベーンモーターからの排水を、回転している出力軸内部に加工した通水孔を利用し、円形ブラシ内の空室に導き、該空室と連結してある多数の小孔から外部へ、円形ブラシが回転しながら放水するという洗浄器具を、コンパクトな構造として構成している。
【発明を実施するための最良の形態】
【００１８】  実施形態１として、図１〜４に基づいて揺動ベーン付き回転体９の構成を説明すると、両端に支軸３，４を備えた主軸１の周囲に、該主軸１の軸心Ｂから同一半径で且つ、該主軸１の軸心Ｂを中心とする円周を４等分した４箇所、Ｃ１，Ｃ２，Ｃ３，Ｃ４に、該主軸１の軸心方向と平行に、開口部を設けた円筒形の軸受け５の中心を一致させて配置し、主軸１と、該主軸１の外面から半径方向に伸びる板状の軸受け支持具２と、該軸受け５とを一体成形して形成した回転体本体１０と、ベーン体７として、薄肉円筒体を利用し、該薄肉円筒体を中心方向から４等分割して得られる曲面板を利用し、該曲面板の片側曲面端に軸受け５によって保持される軸６を備えた軸付き曲面板とから揺動ベーン付き回転体９を構成し、配置した４箇所の軸付きベーン体８が回転体本体１０の外周に閉じる事によって、軸付きベーン体８である軸付き曲面板により、外形形状が円筒体外形面と同様の円曲面を形成する。【００１９】  実施形態２として、図５、図６、図１１、及び図１２を用いて揺動ベーンモーターの構成を説明すると、前記揺動ベーン付き回転体９をローターとして利用し、該揺動ベーン付き回転体９を円筒形のケーシング１１の内部に、しかも、揺動ベーン付き回転体９の軸心Ｂを該ケーシング１１の中心Ａに対して偏心配置し、ケーシング１１の両側を密閉する２枚の蓋１９、及び蓋２２と共に基本構成をし、付属要素として、偏心配置によるケーシング１１の内面と、４箇所の軸付きベーン８が全て閉じて図１に示すように、外形形状が円曲面を形成した揺動ベーン付き回転体９の外形面との対面間隔の狭い側には、流水の漏洩を防止する器具として、図６に示す位置に、図１２に示すようにケーシング１１の内面側に開口部を設けた孔形の軸受け１４をケーシングの中心方向と平行に加工し、揺動板として、該軸受け１４に保持される軸１５と平板１６とから成る軸付き平板１７を配置している事、図６に示すように、密閉作動区間の範囲Ｄ、及び流水漏洩防止器具としての軸付き平板１７の設定配置部を除くケーシング内面円周方向の２箇所に、流水通路溝１２，１３を加工してある事、図１１に示すように、ケーシング１１の両側を密閉する片側の蓋１９には、揺動ベーン付き回転体９の支軸３を支持する軸受け２０、及び注水口２１を備え、もう一方の蓋２２には、揺動ベーン付き回転体９の出力軸でもある支軸４を支持する軸受け２３、及び排水口２４を備えている事、等の各要素を基本構成に含めて全体を構成した揺動ベーンモーターである。図６は揺動ベーンモーターの出力軸４の軸心方向からの、２枚の蓋１９，２２にそれぞれ加工された注水口２１、及び排水口２４をも含めた透視側面図であるが、該透視側面図に示すように、ケーシング１１の中心Ａに対する揺動ベーン付き回転体９の軸心Ｂの偏心配置位置、該ケーシング内面円周方向に加工された流水通路溝１２，１３、及び揺動ベーン付き回転体９との関係における密閉作動区間の範囲Ｄと、流水漏洩防止器具としての軸付き平板１７、そして蓋１９に加工配置された注水口２１、及び蓋２２に加工配置された排水口２４、等の各構成要素の相対的設定、配置関係を示している。【００２０】  実施形態３として、水洗用回転ブラシの構成を図１３〜１５により説明すると、外部水圧源との接続口２７を備えたサイドケース２５は、揺動ベーンモーターの注水口２１を配置した蓋１９と共に内部に空室２６を形成している。揺動ベーンモーターの注水口２１、及び排水口２４はそれぞれ該揺動ベーンモーターのケーシング１１の両側を密閉する円板状の蓋１９、及び２２の中心から偏心した位置に配置されている。サイドケース２９は出力軸４を支持しながら、揺動ベーンモーターの排水口２４を加工、配置した蓋２２と共に内部に空室３１を形成している。円板形の刷毛具３５は、円板内の外周付近に植設された刷毛３７と該円板を貫通した小孔３６を多数備えており、円形ブラシを構成する刷毛具ホルダー３４は該刷毛具３５と共に内部に空室３８を形成して刷毛具３５を保持している。サイドケース２９から突出している出力軸４の軸端に刷毛具ホルダー３４を固定するが、揺動ベーンモーター側の空室３１と円形ブラシ側の空室３８とは、出力軸４内に加工された軸横孔３２、軸穴３３からなる通水孔で連結されている。【００２１】使用している用語の意味について詳しく説明する。
回転体本体１０とは、両端に支軸３，４を備えた主軸１、主軸の外面から半径方向に伸びる軸受け支持具２、そして主軸１の外周４箇所に配置した軸受け５とを一体成形して形成した部所をいう。
回転体本体の外周は、図４に示すように、主軸１の軸心Ｂから軸受け５の開口端Ｙまでの長さを寸法Ｚとすれば、主軸１の軸心Ｂを中心とした半径Ｚの円の円周で示される。開口端Ｙは、軸付きベーン体８が閉じた際、ベーン体の背面７ｂが接する箇所である。
揺動ベーン付き回転体９、とは、回転体本体１０と、軸受け５に保持され４箇所に配置された軸付きベーン体８とから成る全体をいう。
利用する軸付きベーン体数については、４箇所の設定配置に限らず複数箇所の設定配置が考えられるが、軸付きベーン体数をＮとした場合に、密閉作動区間の範囲は、対面間隔の広い側において、揺動ベーン付き回転体がＮ分の１回転する際、揺動したベーン体７の先端がケーシング内面に接しながら移動する範囲をわずかに超える範囲として、ケーシング内面円周方向に２箇所の流水通路溝１２，１３の位置を考慮して設定する。
支軸４は揺動ベーンモーターとしては出力軸として機能する。
開口部を備えた円筒形の軸受け５の中心、Ｃ１，Ｃ２、Ｃ３、Ｃ４と軸付きベーン体８の軸６の軸心とは一致する。
流水漏洩防止器具として、軸受け１４に軸１５保持されながら該軸１５を支点として揺動する軸付き平板１７に替えて、軸のない平板としての長方形の板状弾性体を使用し、一方の端をケーシング内面にボルト、ナット、あるいは接着剤で固定し、反対側の端をローターの回転方向に向けて配置しても良い。【００２２】  揺動ベーン付き回転体、揺動ベーンモーター、及び水洗用回転ブラシの上記実施形態の作用について説明する。【００２３】  実施形態１の揺動ベーン付き回転体９について作用を説明すると、軸付きベーン体８の軸６は、開口部を設けた軸受け５によって保持されながら、該開口部からはみ出ているベーン体７としての曲面板は、開口部の幅寸法Ｅの範囲内で回転体本体の外周の外側で自在に揺動動作をする事により、ベーン体７として必要な流水受圧面積を変化させる事ができる。軸付きベーン体８の軸６が軸受け５の開口部から外部へ離脱する事なく、軸受け５による保持を確実にするために、開口部の幅寸法Ｅは軸６の直径寸法Ｆより小さくする。揺動ベーン付き回転体９においては、図１に示すように、４箇所に配置された軸付きベーン体８が全て閉じる事により、外形形状は円筒体外形面と同様の円曲面を形成し、さらに該揺動ベーン付き回転体９内部の４箇所に空間Ｈを形成する。【００２４】  実施形態２の揺動ベーンモーターにおいて、外部水圧源からの流水の作用による揺動ベーン付き回転体９の回転動作について、図７〜１０に基づいて説明すると、図７の状態においては、注水口２１からの流水は密閉作動区間の範囲Ｄに進入し始めた軸付きベーン体８Ａのベーン体の背面７ｂに作用しトルクを発生する。この状態で、流水漏洩防止器具である軸付き平板１７は流水の作用によって、軸付きベーン体８Ｂ側に揺動し、平板１６の先端がベーン体の表面７ａに接触、押圧する事でこの位置から排水口２４側への流水の漏洩を防止する。
図８の状態においては、図７と同じ条件を維持するが、後続の軸付きベーン体８Ｂの初期揺動動作はまだ生じていない。図８に示すように、軸付き平板１７は軸付きベーン体８Ｃ側への揺動動作により、流水漏洩防止を行う。
図９の状態においては、注入口２１からの流水は前方の密閉作動区間の範囲Ｄを移動中の軸付きベーン体８Ａに作用しトルクの発生を維持しながら、注入口２１からの流水によって後続の軸付きベーン体８Ｂのベーン体の背面７ｂにも作用し、初期揺動動作を生じさせる。軸付き平板１７の平板１６の先端は軸付きベーン体８Ｃのベーン体の表面７ａに接触、押圧する事で流水の漏洩防止を維持する。
図１０の状態においては、注水口２１からの流水は軸付きベーン体８Ｂのベーン体の背面７ｂに作用しながら、さらに流水通路溝１２を通過して前方の密閉作動区間の範囲Ｄを移動している軸付きベーン体８Ａのベーン体背面７ｂにも作用するのでトルクの発生は維持される。この状態において、軸付き平板１７の平板１６は後続の軸付きベーン体８Ｃのベーン体の表面７ａに接触、押圧し流水の漏洩を防止している。【００２５】  図７に示すように、軸付きベーン体８Ｄのベーン体７の先端が密閉作動区間の範囲Ｄを通過し終える前に、後続の軸付きベーン体８Ａのベーン体７の先端が該密閉作動区間の範囲Ｄに進入する。図６に示すように、軸付きベーン体数を４とした実施形態２では、密閉作動区間の範囲は揺動ベーン付き回転体が４分の１回転する際、揺動したベーン体の先端がケーシング内面円周方向において移動する範囲で決定されるが、後続の軸付きベーン体が密閉作動区間の範囲Ｄへ進入後に、前方の軸付きベーン体が密閉作動区間の範囲Ｄを通過し終えるように、わずかに拡張した範囲として密閉作動区間の範囲Ｄを設定する事で確実に安定した連続回転を確保できる。以上により、流水の作用を受け、揺動ベーンモーターは設定した密閉作動区間の範囲Ｄのみにおいて連続してトルクを発生する。
図７〜８に示すように、排水口の位置は軸付きベーン体８Ａによるトルクの発生が開始された後に、軸付きベーン体８Ｄのベーン体７の先端が密閉作動区間の範囲Ｄを外れ流水通路溝１３に進入し、軸付きベーン体８Ｄのベーン体の背面７ｂに作用していた流水の圧力が開放され該流水通路溝１３を通過し、あるいは直接に排水口２４より外部へ排出される。【００２６】  実施形態３に示す水洗用回転ブラシについて図１４〜１５により作用を説明すると、サイドケース２５の中心に加工、配置された外部水圧源との接続口２７から流入した流水は空室２６を通り、蓋１９の中心から偏心した位置にある注水口２１より揺動ベーンモーター内部に流入し、排水口２４に到る過程において軸付きベーン体８に作用し、ローターとしての揺動ベーン付き回転体９によるトルクの発生となり、出力軸４端に固定した円形ブラシを回転させる。排水は、排水口２４から空室３１に流入し、該空室３１から回転している出力軸４内部に加工した通水孔としての軸横孔３２、軸穴３３を通り、円形ブラシ内の空室３８に導かれ、該空室３８と連結された多数の小孔３６より円形ブラシが回転しながら外部へ放水される。【００２７】  実施形態３において、空室２６は注水口２１が蓋１９の中心から偏心した位置に配置してあるので、サイドケース２５の中心に加工した外部水圧源との接続口２７からの流水を一旦貯めて、前記偏心配置してある注水口２１に注水するための空室２６である。直接注水口に外部より注水しても機能としては変わらない。
【産業上の利用可能性】
【００２８】  利用する軸付きベーン体数を少ない数とする事で流体受圧面積の大きな揺動ベーン付き回転体を得る事ができ、該揺動ベーン付き回転体をローターとして利用する事により、低速回転においても吐出容量の大きい揺動ベーンポンプを設計する事ができる。
流体受圧面積の大きいベーン体を含むローターを利用した揺動ベーンモーターは、低圧流体の使用でも大きいトルクが得られるので、空圧配管ライン、油圧配管ライン、及び水道水配管ライン等の途中に組み込む事で容易に流体エネルギーを回転エネルギーに変換する事ができ、電力を利用した電動機に代えて利用できる。
【図面の簡単な説明】
【００２９】
【図１】４箇所に配置した軸付きベーン体が全て閉じて外形形状が円筒体外形面と同様の円曲面を形成した揺動ベーン付き回転体の斜視図である。
【図２】図１に示す揺動ベーン付き回転体の軸付きベーン体が揺動動作をした場合の揺動ベーン付き回転体の斜視図である。
【図３】図１に示す揺動ベーン付き回転体の出力軸の軸心方向からの側面図である。
【図４】図２に示す揺動ベーン付き回転体の出力軸の軸心方向からの側面図である。
【図５】図１３におけるＸ−Ｘ矢視からの揺動ベーンモーター部のみの断面図に注水口、及び排水口の位置を加えた図である。
【図６】図５における揺動ベーンモーター部の出力軸の軸心方向からの内部透視側面図である。
2007175705.tif 000003
【図１１】揺動ベーンモーターの構成要素の分解斜視図である。
【図１２】揺動ベーンモーターを構成するケーシング、揺動ベーン付き回転体、及び軸付き平板の斜視図である。
【図１３】水洗用回転ブラシの外観斜視図である。
【図１４】図１３におけるＸ−Ｘ矢視からの断面図に注水口、及び排水口の位置を加えた図である。
【図１５】水洗用回転ブラシの構成要素を示す分解斜視図である。
【符号の説明】
【００３０】  １        主軸
２        軸受け支持具
３        支軸
４        支軸（出力軸）
５        軸受け
６        軸
７        ベーン体
７ａ      ベーン体の表面
７ｂ      ベーン体の背面
８        軸付きベーン体
８Ａ      軸付きベーン体
８Ｂ      軸付きベーン体
８Ｃ      軸付きベーン体
８Ｄ      軸付きベーン体
９        揺動ベーン付き回転体（ローター）
１０        回転体本体
１１        ケーシング
１２        流水通路溝
１３        流水通路溝
１４        軸受け
１５        軸
１６        平板
１７        軸付き平板
１８        ネジ穴
１９        蓋
２０        軸受け
２１        注水口
２２        蓋
２３        軸受け
２４        排水口
２５        サイドケース
２６        空室
２７        接続口
２８        ボルト通し孔
２９        サイドケース
３０        軸受け
３１        空室
３２        軸横孔
３３        軸穴
３４        刷毛具ホルダー
３５        刷毛具
３６        小孔
３７        刷毛
３８        空室
Ａ        ケーシング１１の中心
Ｂ        揺動ベーン付き回転体９の軸心、主軸１の軸心
Ｃ１      軸受け５、及び軸６の中心
Ｃ２      軸受け５、及び軸６の中心
Ｃ３      軸受け５、及び軸６の中心
Ｃ４      軸受け５、及び軸６の中心
Ｄ        密閉作動区間の範囲
Ｅ        開口部の幅寸法
Ｆ        軸６の直径寸法
Ｇ        回転方向
Ｈ        空間
Ｙ        開口端
Ｚ        寸法
【図１】
2007175705.tif 000004
【図２】
2007175705.tif 000005
【図３】
2007175705.tif 000006
【図４】
2007175705.tif 000007
【図５】
2007175705.tif 000008
【図６】
2007175705.tif 000009
【図７】
2007175705.tif 000010
【図８】
2007175705.tif 000011
【図９】
2007175705.tif 000012
【図１０】
2007175705.tif 000013
【図１１】
2007175705.tif 000014
【図１２】
2007175705.tif 000015
【図１３】
2007175705.tif 000016
【図１４】
2007175705.tif 000017
【図１５】
2007175705.tif 000018